(57)【特許請求の範囲】
【請求項１】
偏光子が右眼レンズと左眼レンズに分離され、右眼レンズと左眼レンズが、ともに、独立した球面レンズであるか、水平方向と垂直方向にトーリック軸を持つ２軸トーリックレンズであり、かつ、両レンズは、水平方向のトーリックカーブを同じくし、同時に、垂直方向のトーリックカーブを同じくすることを特徴とする１眼タイプ偏光眼鏡。
【請求項２】
右眼レンズと左眼レンズが、ともに、独立した２軸トーリックレンズであり、水平方向のトーリックカーブが６〜１１Ｃ、垂直方向のトーリックカーブが２〜８Ｃであることを特徴とする請求項１記載の１眼タイプ偏光眼鏡。
【請求項３】
右眼レンズと左眼レンズが、ともに、独立した２軸トーリックレンズであり、水平方向のトーリックカーブが８〜１０Ｃ、垂直方向のトーリックカーブが４〜６Ｃであることを特徴とする請求項１記載の１眼タイプ偏光眼鏡。
【請求項４】
右眼レンズの偏光子と左眼レンズの偏光子が、ともに、その両面を保護シートで保護された、互いに独立した２枚の偏光板を構成しており、それぞれの偏光板の、片側の保護シートとバックアップ樹脂とが熱接合していることを特徴とする請求項１記載の１眼タイプ偏光眼鏡。
【請求項５】
右眼レンズの偏光子と左眼レンズの偏光子が、ともに、その両面を保護シートで保護された、互いに独立した２枚の偏光板を構成しており、それぞれの偏光板の、片側の保護シートの上に樹脂シートが積層されており、樹脂シートとバックアップ樹脂とが熱接合していることを特徴とする請求項１記載の１眼タイプ偏光眼鏡。
【請求項６】
右眼レンズの偏光子と左眼レンズの偏光子が、ともに、その両面を保護シートで保護された、互いに独立した２枚の偏光板を構成しており、それぞれの偏光板の、片側の保護シートに接着機能のあるコーティング層が設けられており、コーティング層とバックアップ樹脂とが接合していることを特徴とする請求項１記載の１眼タイプ偏光眼鏡。
【発明の詳細な説明】
【技術分野】
【０００１】
本発明は、偏光子が右眼レンズと左眼レンズに分離された１眼タイプの偏光眼鏡に関する。
【０００２】
１眼タイプ偏光眼鏡は、眼用保護具として有用であるばかりでなく、各レンズについてカーブを自在に設計できるので、２眼タイプの偏光レンズを作るのとまったく同じカーブ設計思想で１眼タイプの偏光レンズを作ることができ、視覚歪みの少ない偏光眼鏡として、アウトドアーのサングラスとして、日常的に、あるいはスポーツにおいて好適に使用できる。
【背景技術】
【０００３】
水面からの反射光をカットする防眩対策として、従来から、偏光レンズを嵌めた偏光眼鏡が使われてきた。
【０００４】
偏光レンズの偏光性能は偏光子に依存する。偏光子は、一般に厚さ１００μｍ以下のポリビニルアルコールの延伸シートであり、同シートをヨウ素や２色性色素で染色して、偏光度を高めたものである。
【０００５】
ただし、ポリビニルアルコール系の偏光子は、物理強度が弱く、耐湿性が乏しく、ペラペラのシートであるので、偏光子だけでレンズにすることは困難であり、実用性の高い防眩眼鏡にはなりにくいとされる。
【０００６】
そのため、かかる偏光子を樹脂シートやガラス基材の間に挟持して、物理的に補強し、湿度変化の環境対策をとったレンズにし、それを眼鏡フレームに嵌めて、偏光眼鏡とすることが行われてきた。
【０００７】
偏光眼鏡は、右眼レンズと左眼レンズが独立する２眼タイプ偏光眼鏡が一般形である。２眼タイプ偏光眼鏡は、別々に作った偏光レンズを２眼の眼鏡フレームに枠入れして作られる。
【０００８】
これに対し、１眼タイプの偏光眼鏡も作られてきた。偏光子を樹脂シートの間に挟持した積層構造体のことを偏光板と呼称するが（特許文献１）、例えば、樹脂シートとしてポリカーボネートを用いる場合はポリカーボネート偏光板と呼称される。
【０００９】
このポリカーボネート偏光板を一眼形状に打ち抜き、顔面に沿って円筒（トーリック）形状に曲げ加工をしたり、あるいは、曲げ加工をした偏光板の凹面側にポリカーボネート樹脂をバックアップ樹脂として射出成形したりすると、１眼タイプ偏光レンズを作ることができる。
【００１０】
できあがった１眼タイプ偏光レンズを、必要に応じて縁取り研磨し、鼻パッドと眼鏡フレームを装着すると、１眼タイプ偏光眼鏡にすることができる（市販品として存在する）。
【先行技術文献】
【特許文献】
【００１１】
【特許文献１】特開平１−２２５３８号公報
【発明の概要】
【発明が解決しようとする課題】
【００１２】
１眼タイプ偏光眼鏡は、２眼タイプではできないデザインが可能になる特徴を持つ。
反面、ポリカーボネート偏光板は、偏光子にクラックが入りやすいので、複雑な形状の曲げ加工は困難である。例えば、全体をトーリック形状にし、右眼と左眼部だけを、それぞれ独立したハイカーブレンズの球面形状に形成することは、かなり困難である。
【００１３】
そのため、１眼タイプ偏光眼鏡は、顔面に合わせた１軸の円筒形状であることが普通であり、視線がレンズの上下左右の端部に及ぶほど、対象物が歪んで見えるので、光学的には性能が十分でないことがある。あるいは、デザイン的にバラエティーの少ない偏光眼鏡しかできない問題があった。
【課題を解決するための手段】
【００１４】
上記課題を解決するために、次のような手段を発明するに至った。
まず、偏光子が右眼レンズと左眼レンズに分離され、右眼レンズと左眼レンズが互いに独立したレンズカーブを持つ１眼タイプ偏光眼鏡にすることにある。
【００１５】
さらには、右眼レンズと左眼レンズが、ともに、独立した球面レンズであるか、非球面レンズであるか、トーリックレンズのいずれかである１眼タイプ偏光眼鏡にすることにある。
【００１６】
さらには、右眼レンズと左眼レンズが、ともに、独立した２軸トーリックレンズである１眼タイプ偏光眼鏡にすることにある。
【００１７】
さらには、右眼レンズと左眼レンズが、ともに、水平方向と垂直方向にトーリック軸を持つ二軸トーリックレンズであり、かつ、両レンズは、水平方向のトーリックカーブを同じくし、同時に、垂直方向のトーリックカーブを同じくする１眼タイプ偏光眼鏡にすることにある。
【００１８】
さらには、水平方向のトーリックカーブが６〜１１Ｃ、垂直方向のトーリックカーブが２〜８Ｃであることを特徴とする１眼タイプ偏光眼鏡にすることにある。
【００１９】
さらには、水平方向のトーリックカーブが８〜１０Ｃ、垂直方向のトーリックカーブが４〜６Ｃである１眼タイプ偏光眼鏡にすることにある。
【００２０】
さらには、右眼レンズの偏光子と左眼レンズの偏光子が、ともに、その両面を保護シートで保護された、互いに独立した２枚の偏光板を構成しており、それぞれの偏光板の、片側の保護シートとバックアップ樹脂とが熱接合している１眼タイプ偏光眼鏡にすることにある。
【００２１】
さらには、右眼レンズの偏光子と左眼レンズの偏光子が、ともに、その両面を保護シートで保護された、互いに独立した２枚の偏光板を構成しており、それぞれの偏光板の、片側の保護シートの上に樹脂シートが積層されており、樹脂シートとバックアップ樹脂とが熱接合している１眼タイプ偏光眼鏡にすることにある。
【００２２】
さらには、右眼レンズの偏光子と左眼レンズの偏光子が、ともに、その両面を保護シートで保護された、互いに独立した２枚の偏光板を構成しており、それぞれの偏光板の、片側の保護シートに接着機能のあるコーティング層が設けられており、コーティング層とバックアップ樹脂とが接合している１眼タイプ偏光眼鏡にすることにある。
【発明の効果】
【００２３】
本発明により、偏光子が右眼レンズと左眼レンズに分離され、右眼レンズと左眼レンズが互いに独立したレンズカーブを持つ１眼タイプ偏光眼鏡ができるようになった。
【図面の簡単な説明】
【００２４】
【図１】本発明の１眼タイプ偏光眼鏡を示す斜視図である。
【図２】図１の偏光眼鏡のレンズを示す斜視図である。
【図３】図３（ａ）は図２のレンズの正面図であり、図３（ｂ）は図３（ａ）のレンズのＡ−Ａ断面図であり、図３（ｃ）は図３（ａ）のＢ−Ｂ断面図である。
【発明を実施するための形態】
【００２５】
本発明で用いられる偏光子は、通常、厚さ０．１ｍｍ以下の均一な樹脂シートである。ごく一般的には、ポリビニルアルコールやポリビニルアセタール、ポリビニルブチラールなどのポリビニルアルコール系樹脂の一軸延伸シートである。
【００２６】
高い偏光度を得るために、２〜５倍の延伸倍率で延伸したシートにし、さらに、ヨウ素または二色性染料でドープすることが行われている。本発明の偏光子には、ヨウ素ドープ法、染料ドープ法のいずれの方法で調製したものでも使用可能である。
【００２７】
ヨウ素を用いるヨウ素ドープ法は、染料を用いる染料ドープ法と比べ、偏光子に固有の着色を与えることが少ないうえ、高い偏光度のものが得られやすい特徴を持つ反面、昇華しやすいヨウ素の使用による耐熱性の劣る欠点がある。
【００２８】
一方、染料ドープ法はより高い耐熱性を持つ一方で、染料固有の色相が偏光子に現れる問題がある。射出成形法により、レンズの背面（接眼側）を樹脂でバックアップしてレンズにする場合は、昇華しやすいヨウ素よりも、熱安定性の高い二色性染料でドーピングした偏光子であることが推奨される。
【００２９】
偏光子は一般に物理強度が弱い。また、ポリビニルアルコール系樹脂の偏光子は吸湿性があり、一般に取扱い性の良いとは言えない物質である。
【００３０】
そのため、偏光子に保護シートを貼付して補強したものを偏光板と呼称し、偏光子の替わりに偏光板を流通や加工の基本形態にすることが行われている。
【００３１】
偏光板の基本構造は、１枚の偏光子の両面に、それぞれ保護シートを貼付したものである。すなわち、保護シート−偏光子−保護シートの順に積層した３層構成の積層体である。
【００３２】
保護シートは、一般には、押出成形法またはキャスト成形法で作られる。
【００３３】
押出成形した保護シートとしては、ポリカーボネート系樹脂、ポリアミド系樹脂、ポリエステル系樹脂、ポリスチレン系樹脂、メチルメタアクリレートやシクロヘキシルメタクリレートなどの重合体、共重合体を含むアクリル系樹脂、塩化ビニル系樹脂、ポリスチレン・メチルメタクリレート系樹脂、アクリロニトリル・スチレン系樹脂、ポリー４−メチルペンテンー１、アンダマンタン環やシクロペンタン環を主鎖に持つ主鎖炭化水素系樹脂、ポリウレタン系樹脂、トリアセチルセルロースなどセルロース系樹脂を含む熱可塑性樹脂シートがある。
【００３４】
保護シートとしては、光学的異方性のできるだけ少なく、かつ、製造のしやすいことが望ましい。この目的のために、押し出し成形したポリカーボネート系樹脂、ポリアミド系樹脂、ポリエステル系樹脂、ポリウレタン系樹脂のシートを、２〜５倍程度に１軸延伸したシート、または、縦横に２〜５倍程度に２軸延伸したシートが、本発明で好ましく用いられる。
【００３５】
ポリカーボネート系樹脂には、ビスフェノールＡなど芳香環を含むフェノール類主体の芳香族ポリカーボネート樹脂、脂環族ポリカーボネート樹脂、脂肪族ポリカーボネート樹脂、およびポリカーボネート樹脂とポリエステル樹脂のポリマーアロイがある。
【００３６】
なかでも、ビスフェノールＡなど芳香環を含むフェノール類主体のポリカーボネート樹脂、あるいは、同ポリカーボネート樹脂とポリエステル系樹脂のポリマーアロイが、偏光板の物理強度保持の上から好ましい。
【００３７】
特に、ポリカーボネート樹脂の粘度平均分子量が１５０００以上、好ましくは１８０００以上のものが、強度と靭性において優れ、眼用保護具の着用者を打撃から守る機能が高いので、特に推奨される。
【００３８】
ポリウレタン系樹脂としては、芳香族イソシアネートや脂環族イソシアネートをイソシアネート成分にしたポリウレタン樹脂のうち、硬さや強度、強靭性があり、結晶化の起こりにくい、透明性の高いポリウレタン樹脂が好ましい。
ポリエステル系樹脂としては、テレフタル酸のような芳香族ジカルボン酸をジカルボン酸の主成分にしたポリエステル樹脂のうち、硬さや強度、強靭性があり、透明性の高いポリエステル樹脂が好ましい。
【００３９】
ポリアミド系樹脂としては、脂環族あるいは脂肪族ジカルボン酸と、脂環族あるいは脂肪族ジアミンを縮重合したポリアミドであり、硬さや強度、強靭性があり、非晶性で透明度の高いポリアミド樹脂が好ましい。
【００４０】
キャスト成形法による保護シートは、一般に光学異方性が小さいので、偏光板の保護シートとして好ましい特性を備えているが、一般に製造のしにくいところがある。
【００４１】
キャスト成形法シートとしては、トリアセチルセルロース、ジアセチルセルロース、トリプロピルセルロース、ジプロピルセルロースなどのアシルセルロース類を、例えばアセトンに溶解し、その溶液をベルトまたは平板の上へ流延し、加熱あるいは減圧処理により脱溶媒して作るシートがある。
【００４２】
また、例えば、メチルメタクリレートを主体にする（メタ）アクリレート類をガラス板の間に封入し、いわゆる板間重合法でキャスト成形するシートがある。
【００４３】
保護シートは、０．０１〜１．５ｍｍ程度、好ましくは０．０２〜１．２ｍｍ程度の厚さを持つものが使用される。０．０１ｍｍ未満の厚さでは、保護シートの調製自体が難しくなる。一方、厚さが１．５ｍｍを越えると、後述するように、偏光板の曲げ加工が難しくなる傾向がある。
【００４４】
偏光板は、接着剤または粘着剤を用い、偏光子を挟持する形で偏光子の両面に保護シートを貼付したものが一般的である。
【００４５】
貼付する際、キャスト成形法の保護シートの場合は、光学異方性が少ないので、あまり問題はないが、偏光子と保護シートの方向性が問題になる。
【００４６】
すなわち、押出成形法の保護シートの場合は、偏光子の延伸方向と保護シートの延伸方向をほぼ完全に一致させないと、偏光度が低下したり、偏光度の局所ムラが発生したりする。二軸延伸の保護シートの場合は、延伸倍率の大きい方の延伸方向と偏光子の延伸方向をほぼ完全に一致させる。
【００４７】
偏光子と保護シートを貼付する接着剤または粘着剤は、水、熱、光などに対する長期の耐久性が必要であり、基本的には、それらに合格するものであれば特に限定しない。
【００４８】
接着剤について例を挙げると、イソシアネート系樹脂、ポリウレタン系樹脂、ポリチオウレタン系樹脂、エポキシ系樹脂、酢酸ビニル系樹脂、アクリル系樹脂、ワックス系樹脂などがある。粘着剤としては、酢酸ビニル系樹脂、アクリル系樹脂などが挙げられる。
【００４９】
貼付するにあたり、これらの接着剤または粘着剤を、グラビアコーティング法、オフセットコーティング法などの塗布方法により、保護シートまたは偏光子へ均一に塗布する。
【００５０】
接着剤層または粘着剤層の厚さは、通常０．１〜１００μｍ、好ましくは０．５〜８０μｍである。接着剤層または粘着剤層の厚さが０．１μｍ未満では接合力が低く、１００μｍを超えると偏光板の端面から接着剤や粘着剤がしみ出ることがある。
【００５１】
偏光板の好ましい厚みは０．１〜２ｍｍ、より好ましくは０．２〜１．２ｍｍである。
【００５２】
０．１ｍｍ未満の偏光板は作りにくく、２ｍｍを超えると、後述する偏光板の曲げ加工を行う際、偏光子にクラックが入ったり、保護シートに皺がよったりして、うまくレンズ状に曲がらない傾向がある。
【００５３】
本発明の１眼タイプ偏光眼鏡に使われる１眼タイプ偏光レンズは、右眼レンズと左眼レンズが、ともにカーブの独立したレンズであり、偏光板を対物側にくるように配置して、接眼側にバックアップ樹脂を射出成形して作られる。右眼レンズと左眼レンズは、球面レンズであるか、非球面レンズであるか、トーリックレンズのいずれかであり、左右のレンズは、通常、同カーブであり、同形状である。
【００５４】
予め偏光板は、本発明の１眼タイプ偏光眼鏡の右眼レンズと左眼レンズのフロントカーブの形状、あるいはそれに近い形状に曲げ加工されているのが一般的である。
【００５５】
そのため、右眼レンズと左眼レンズの偏光板は、１眼タイプ偏光眼鏡の右眼レンズと左眼レンズのフロントカーブ形状にあわせ、球面か、非球面か、トーリック形状のいずれかに曲げ加工される。
【００５６】
なかでも、２軸のトーリック形状であることが、視線対象物を歪んで見えないようにレンズ設計しやすいので好ましい。
【００５７】
さらには、眼鏡の水平方向と、垂直方向に、それぞれトーリック軸を持つ二軸トーリック形状であることが好ましい。
【００５８】
二軸トーリック形状の場合は、左右のレンズの水平方向のトーリックカーブ同士を同じくし、同時に、垂直方向のトーリックカーブ同士を同じくすることことが好ましい。
【００５９】
さらには、レンズの適正視覚設計とデザイン上から、水平方向のトーリックカーブを６〜１１Ｃ、より好ましくは８〜１０Ｃ、垂直方向のトーリックカーブを２〜８Ｃ、より好ましくは４〜６Ｃにすることが推奨される。
【００６０】
曲げ加工は、偏光板を事前に小シート片に裁断しておくとやりやすい。裁断した小シート片を球面形状あるいは非球面形状、あるいはトーリック形状の金型にセットし、保護シートのガラス転移温度以上の温度で熱プレスするか、ガラス転移温度以上の環境下で減圧吸引して熱賦形するのが一般的である。
【００６１】
偏光板のもっとも好ましい曲げ加工方法は、保護シートのガラス転移温度以上に加熱した金型の上に裁断した偏光板を置き、雰囲気温度を保護シートのガラス転移温度以上にし、金型と偏光板の間に形成される空間を減圧吸引する方法である。この方法が、偏光子にクラックを作らず、偏光板に皺を入れず、金型どおりに曲げた偏光板を作りやすい。
【００６２】
本発明の１眼タイプ偏光眼鏡は、上記のようにして曲げ加工した偏光板の接眼側にバックアップ樹脂を射出成形して作られる。バックアップの主たる目的は、１眼タイプ偏光眼鏡の耐衝撃強度の補強にある。
【００６３】
バックアップ射出成形は、射出成形機の金型に曲げ加工した偏光板をインサートし、凹面となるバック側にバックアップ樹脂を射出成形する、いわゆるインサート射出成形法による。
【００６４】
この場合、金型の右眼レンズの位置に右眼用に曲げ加工した偏光板をインサートし、金型の左眼レンズの位置に左眼用に曲げ加工した偏光板をインサートする。
【００６５】
生産性や精密性などから、基本的には特開平１１−２４５２５９号公報に示されるようなインサート射出成形法が好ましい。
【００６６】
すなわち、熱接合する面をバックアップ側に向けた偏光板を金型に配置し、バックアップ樹脂層をインサート射出成形する方法である。なかでも、射出圧縮成形法は、金型の中に樹脂を低圧で射出した後、金型を高圧で閉じて樹脂に圧縮力を加える方法をとるため、成形体に成形歪みや成形時の樹脂分子の局所的配向に起因する光学異方性を生じにくい。また、樹脂に対して均一に加わる金型圧縮力を制御することにより、一定比容で樹脂を冷却することができるので、寸法精度の高い成形品が得られる。
【００６７】
右眼レンズ用の偏光板と左眼レンズ用の偏光板は、それぞれ独立した偏光板であり、相互に連結して偏光板ではない。そのため、バックアップ成形後の射出成形体の右眼レンズと左眼レンズの間には、必ず、偏光板の存在しない、すなわち、偏光子の存在しない領域が形成されている。
【００６８】
なお、本発明の１眼タイプ偏光眼鏡の左右レンズの偏光度をできるだけ高くするために、偏光子と保護シートの延伸方向と１眼タイプ偏光眼鏡の水平方向とができるだけ一致するように、偏光板を金型にインサートすることが求められる。
【００６９】
バックアップ樹脂は偏光板と熱接合することが好ましいので、偏光板の保護シートに用いた樹脂とバックアップ樹脂とは、化学的に同系統であることが好ましい。
【００７０】
すなわち、保護シートがポリカーボネート系樹脂のときはポリカーボネート系樹脂、ポリアミド系樹脂のときはポリアミド系樹脂、ポリエステル系樹脂のときはポリエステル系樹脂、ポリウレタン系樹脂のときはポリウレタン系樹脂、アクリル系樹脂であるときはアクリル系樹脂であることが好ましい。
【００７１】
なお、保護シートあるいはバックアップ樹脂がポリウレタン系樹脂の場合は、化学種の異なる樹脂との熱接合性がある場合がある。
【００７２】
また、別の方法として、偏光板の片面の保護シートの上に熱接合用の樹脂シートを貼付し、その面へバックアップ樹脂を射出成形する方法がある。
【００７３】
例えば、保護シートがポリカーボネートであるポリカーボネート偏光板の片面にポリアミド系樹脂シートを貼付し、ポリアミド系樹脂をバックアップ成形すると、偏光板とバックアップ樹脂とを熱接合することができる。
【００７４】
また、別の方法として、接着機能のある接着剤や粘着剤、例えば、ポリウレタン系樹脂やポリチオウレタン系樹脂、エポキシ系樹脂、酢酸ビニル系樹脂、アクリル系樹脂などの接着剤や粘着剤を保護シートにコーティングし、コーティング面にバックアップ樹脂を射出成形することによって、偏光板とバックアップ樹脂とを接合することができる。
【００７５】
本発明の１眼タイプ偏光眼鏡の右眼レンズと左眼レンズのフロントカーブは、曲げ加工した偏光板のフロントカーブにほぼ等しい。バックカーブも、フロントカーブにほぼ等しくする。すなわち、そのように設計、加工された金型を用いてバックアップ樹脂を射出成形する。
【００７６】
バックアップ成形後のレンズの最大厚みは０．７ｍｍ以上、３ｍｍ以下、好ましくは０．８ｍｍ以上、２．８ｍｍ以下が推奨される。０．７ｍｍ未満の厚みではインサート射出成形しにくいのと、耐衝撃強度に対する補強効果が足りなくなりやすい。また、３ｍｍを超えると、レンズが重くなるのと、１眼タイプ偏光眼鏡にしたときの眼鏡の見栄えがよくない傾向がある。
【００７７】
右眼レンズと左眼レンズは、レンズ部分の全域にわたり同じ厚みである場合は、度の入らない、いわゆるプラノレンズになる。プラノレンズはレンズの厚みが大きくなるにつれ、視線がレンズ端部に行くほどマイナスサイドの屈折力が目立つようになり、視覚上の歪みを生じやすくなる。その場合の対応策として、フロントレンズとバックレンズの球面カーブやトーリックカーブの中心をずらしたり、曲率半径を変更したりする設計にして、レンズ端面に向けて徐々に厚みを減らし、プラスサイドの屈折力をつけることによってマイナス屈折力を消去することが好ましく行われる。
【００７８】
本発明の１眼タイプ偏光眼鏡は、偏光度が５０％以上、可視光透過率が１０〜７５％、なかでも１５〜７０％に調整することが推奨される。
【００７９】
偏光度が５０％を切ると、ぎらつき防止効果が弱くなり、また、可視光透過率が１０％未満では、視界が暗すぎて行動の障害になりかねない。また、可視光透過率が７５％を超えると、眩しさに対する緩和効果が低減する。実用上は偏光度８０％以上、好ましくは９５％以上であることが推奨される。
【００８０】
偏光度は、偏光子の性能によってほぼ決まるとされる。可視光透過率は偏光子の偏光度によってコントロールできるほか、偏光板の保護シートや接着剤や粘着剤、あるいはバックアップ樹脂に染料、顔料等色素を含有させたり、染色したりする方法で補うことができる。
【００８１】
樹脂でバックアップされた本発明の１眼タイプ偏光レンズは、偏光子が右眼レンズと左眼レンズに分離され、右眼レンズのカーブと左眼レンズのカーブがそれぞれ独立する１眼タイプ偏光レンズ状をしている。
【００８２】
かかる１眼タイプ偏光レンズを眼鏡として供用するためには、顔面に装着する眼鏡フレームと鼻パッドが必要になる。ごく稀に、フレームと鼻パッド付きの金型を使用することによって、バックアップ射出成形と同時に１眼タイプ偏光眼鏡ができあがることがあるが、あまり一般的でない。
【００８３】
かかる１眼タイプ偏光レンズを、デザインや機能にあわせ、いろいろなレンズ形状にカットし、フレームと鼻パッドを装着し、本発明の１眼タイプ偏光眼鏡用にするのが一般的である。
【００８４】
本発明の１眼タイプ偏光眼鏡に用いる１眼タイプ偏光レンズは、表面がハードコート加工されていることが好ましい。ハードコートとしては、シラン系、エポキシ系などの熱硬化型ハードコートや、アクリル系、エポキシ系などの活性光線硬化型ハードコートなど一般に用いられているいずれのタイプのハードコートがある。
【００８５】
ハードコートは通常０．５〜１５μｍ程度の膜厚で付与するが、密着性向上等を目的に、アクリレート系樹脂やウレタン系樹脂などのプライマーコート層をコートした上にハードコート加工することがある。
【００８６】
また、本発明の１眼タイプ偏光眼鏡に用いる１眼タイプ偏光レンズは、少なくともいずれかの側が反射防止加工されていることが好ましい。反射防止加工は、通常はハードコートの上へ真空蒸着法により、隣接層どうしでは互いに屈折率の異なる２〜８層程度の無機質膜を光学膜厚で積層するか、湿式法で１〜３層程度の有機膜を光学膜厚で積層する。
【００８７】
また、本発明の１眼タイプ偏光眼鏡に用いる１眼タイプ偏光レンズは、少なくともいずれかの側が防曇加工されていることが好ましい。防曇加工は、ポリビニルアルコール系やポリビニルピロリドン系などの親水性樹脂や界面活性剤を、１〜５０μｍ程度の膜厚で付与する。
【００８８】
また、本発明の１眼タイプ偏光眼鏡に用いる１眼タイプ偏光レンズは、少なくともいずれかの側が、防汚加工されていることが好ましい。防汚加工は、通常は反射防止膜の指紋汚れなどの汚染を防止し、且つ、容易に拭き取れるようにすることを目的に、真空蒸着法や湿式法によって、フッ素系有機化合物を数１０ｎｍから１０数μｍオーダまでの膜厚で付与する。
【００８９】
また、本発明の１眼タイプ偏光眼鏡に用いる１眼タイプ偏光レンズは、少なくともいずれかの側がミラー加工されていることが好ましい。ミラー加工は、ハードコートの上へ、真空蒸着法などにより、アルミニウムや銀、金、白金などの金属膜、あるいは金属酸化物膜などを付与するのが一般的である。
【実施例】
【００９０】
実施例１
図１は、本発明による１眼タイプ偏光眼鏡の実施例を示す。
【００９１】
図２は上記偏光眼鏡のレンズを示す。レンズ上の斜線で示した領域が偏光子の部分である。偏光子は図に示すように右眼レンズと左眼レンズに分離されている。
【００９２】
それぞれの偏光子は、その両面を保護シートで保護され、互いに独立した偏光板を構成しており、それぞれの偏光板をトーリック状に曲げ加工し、曲げ加工した偏光板の凹面側の保護シートにバックアップ樹脂を熱接合させて一体化することで１眼タイプ偏光レンズとなる。
【００９３】
熱接合の方法は、曲げ加工した偏光板を金型にインサートしてバックアップ樹脂を射出成形する手法で行った。
【００９４】
本実施例では、厚さ約３０μｍの偏光子の両面の保護シートは、厚さ約４００μｍのポリカーボネートであり、最大厚さが約１．２ｍｍのバックアップ樹脂もポリカーボネートである。
【００９５】
図３に上記レンズの詳細図を示す。
【００９６】
図中の１は偏光板を示し、２はバックアップ樹脂を示す。
【００９７】
図は、右眼レンズと左眼レンズが、ともに独立した２軸トーリックレンズであることを示している。断面A-Aは水平方向のトーリックカーブが１０Cであることを示している。また、断面B-Bは垂直方向のトーリックカーブが４.５Cであることを示している。
【符号の説明】
【００９８】
１  偏光板
２  バックアップ樹脂
【図１】
0005550944.tif 000002
【図２】
0005550944.tif 000003
【図３】
0005550944.tif 000004